(57)【要約】【課題】テーマに合った画像を抽出する画像抽出システム，画像抽出方法およびそのプログラムを提供する。【解決手段】複数の画像から第１のテーマ，第２のテーマが決定される（ステップ42，43）。決定した第２のテーマを変更する場合には（ステップ44でＹＥＳ），変更する第２のテーマが入力される（ステップ45）。第１のテーマにもとづいて，複数の画像から画像を抽出する第１の画像抽出処理が行われ（ステップ46），第２のテーマにもとづいて，複数の画像から画像を抽出する第２の画像抽出処理が行われる（ステップ47）。抽出された画像が表示される（ステップ48）。【選択図】図７
2018055534.tif 000002
【特許請求の範囲】
【請求項１】
複数の画像によって表される第1のテーマを，上記複数の画像から決定する第1のテーマ決定手段，
上記複数の画像によって表される第２のテーマを，上記複数の画像から決定する，あるいは第２のテーマの入力を受け付けることにより第２のテーマを決定する第２のテーマ決定手段，ならびに
上記第１のテーマ決定手段によって決定した第１のテーマに関連づけられる画像を上記複数の画像から抽出する第１の画像抽出処理および上記第２のテーマ決定手段によって決定した第２のテーマに関連づけられる画像を上記複数の画像から抽出する第２の画像抽出処理の少なくとも一方の画像抽出処理を行う画像抽出手段，
を備えた画像抽出システム。
【請求項２】
上記第２のテーマ決定手段は，上記複数の画像によって表される第２のテーマを，上記複数の画像から決定するものであり，
上記第１のテーマ決定手段によって決定した第１のテーマまたは上記第２のテーマ決定手段によって決定した第２のテーマの指定を受け付けるテーマ受付手段をさらに備え，
上記画像抽出手段は，
上記テーマ受付手段によって上記第１のテーマの指定を受け付けた場合には，第１のテーマに関連づけられる画像を上記複数の画像から抽出する第１の画像抽出処理を行い，上記テーマ受付手段によって第２のテーマの指定を受け付けた場合には，第２のテーマに関連づけられる画像を上記複数の画像から抽出する第２の画像抽出処理を行う，
請求項１に記載の画像抽出システム。
【請求項３】
上記画像抽出手段において上記第１の画像抽出処理が行われた場合には，第１のテーマに関連づけられる第１のテンプレートを決定し，かつ上記画像抽出手段において上記第２の画像抽出処理が行われた場合には，第２のテーマに関連づけられる第２のテンプレートを決定するテンプレート決定手段，および
上記テンプレート決定手段において上記第１のテンプレートが決定された場合には上記第１の画像抽出処理において抽出された画像を上記第１のテンプレートに貼り付け，かつ上記テンプレート決定手段において上記第２のテンプレートが決定された場合には上記第２の画像抽出処理において抽出された画像を上記第２のテンプレートに貼り付け，上記第１のテンプレートと上記第２のテンプレートとを含むアルバムを生成するアルバム生成手段，
をさらに備えた請求項１または２に記載の画像抽出システム。
【請求項４】
上記複数の画像について上記第１のテーマ決定手段によって決定した第１のテーマの合致の程度を表す第１のテーマ合致度を算出する第１のテーマ合致度算出手段，
上記複数の画像について上記第２のテーマ決定手段によって決定した第２のテーマの合致の程度を表す第２のテーマ合致度を算出する第２のテーマ合致度算出手段，および
上記第１のテーマ合致度算出手段によって算出された第１のテーマ合致度と上記第２のテーマ合致度算出手段によって算出された第２のテーマ合致度との比率に応じたテーマとなるアルバムを，上記画像抽出手段によって抽出された画像を用いて生成するアルバム生成手段，
をさらに備えた請求項１または２に記載の画像抽出システム。
【請求項５】
上記画像抽出手段は，
上記第１のテーマ合致度算出手段によって算出された第１のテーマ合致度と上記第２のテーマ合致度算出手段によって算出された第２のテーマ合致度との比率と，上記第１の画像抽出処理により抽出される画像の数と上記第２の画像抽出処理により抽出される画像の数との比率と，が一致するように上記第１の画像抽出処理および上記第２の画像抽出処理を行う，
請求項４に記載の画像抽出システム。
【請求項６】
上記第１のテーマ決定手段によって決定した第１のテーマおよび上記第２のテーマ決定手段によって決定した第２のテーマにおいて共通に使用されるテンプレートに，上記画像抽出手段によって抽出した画像を貼り付けてアルバムを生成するアルバム生成手段，
をさらに備えた請求項１または２に記載の画像抽出システム。
【請求項７】
上記第１のテーマ決定手段によって決定した第１のテーマと上記第２のテーマ決定手段によって決定した第２のテーマとの比率に応じたテーマをもつテンプレートに，上記画像抽出手段によって抽出した画像を貼り付けてアルバムを生成するアルバム生成手段，
をさらに備えた請求項１または２に記載の画像抽出システム。
【請求項８】
上記第１のテーマ決定手段によって決定した第１のテーマと上記第２のテーマ決定手段によって決定した第２のテーマとの比率に応じたテーマをもつテンプレートを生成するテンプレート生成手段，
をさらに備えた請求項７に記載の画像抽出システム。
【請求項９】
上記画像抽出手段は，
上記第１のテーマ決定手段によって決定した第１のテーマと上記第２のテーマ決定手段によって決定した第２のテーマとの比率に応じたテーマに合った画像を抽出させる上記第１の画像抽出処理および上記第２の画像抽出処理の少なくとも一方を行う，
請求項１に記載の画像抽出システム。
【請求項１０】
上記第２のテーマ決定手段は，
上記第２のテーマの入力を受け付けることにより第２のテーマを決定し，
上記複数の画像について上記第１のテーマ決定手段によって決定した第１のテーマの合致の程度を表す第１のテーマ合致度を算出する第１のテーマ合致度算出手段，および
上記複数の画像について上記第２のテーマ決定手段によって決定した第２のテーマの合致の程度を表す第２のテーマ合致度を算出する第２のテーマ合致度算出手段をさらに備え，
上記画像抽出手段は，
上記第１のテーマ合致度算出手段によって算出された第１のテーマ合致度が上記第２のテーマ合致度算出手段によって算出された第２のテーマ合致度よりも高い場合には，上記第１の画像抽出処理を行い，上記第２のテーマ合致度算出手段によって算出された第２のテーマ合致度が上記第１のテーマ合致度算出手段によって算出された第１のテーマ合致度よりも高い場合には，上記第２の画像抽出処理を行う，
請求項１に記載の画像抽出システム。
【請求項１１】
第１のテーマ決定手段が，複数の画像によって表される第1のテーマを，上記複数の画像から決定し，
第２のテーマ決定手段が，上記複数の画像によって表される第２のテーマを，上記複数の画像から決定する，あるいは第２のテーマの入力を受け付けることにより第２のテーマを決定し，
画像抽出手段が，上記第１のテーマ決定手段によって決定した第１のテーマに関連づけられる画像を上記複数の画像から抽出する第１の画像抽出処理および上記第２のテーマ決定手段によって決定した第２のテーマに関連づけられる画像を上記複数の画像から抽出する第２の画像抽出処理の少なくとも一方の画像抽出処理を行う，
画像抽出方法。
【請求項１２】
画像抽出システムのコンピュータを制御するコンピュータが読み取り可能なプログラムであって，
複数の画像によって表される第1のテーマを，上記複数の画像から決定させ，
上記複数の画像によって表される第２のテーマを，上記複数の画像から決定する，あるいは第２のテーマの入力を受け付けることにより第２のテーマを決定させ，
決定した上記第１のテーマに関連づけられる画像を上記複数の画像から抽出する第１の画像抽出処理および決定した第２のテーマに関連づけられる画像を上記複数の画像から抽出する第２の画像抽出処理の少なくとも一方の画像抽出処理を行なわせるように画像抽出システムのコンピュータを制御するプログラム。
【請求項１３】
請求項12に記載のプログラムを格納した記録媒体。
【発明の詳細な説明】
【技術分野】
【０００１】
この発明は，画像抽出システム，画像抽出方法およびそのプログラムに関する。
【背景技術】
【０００２】
多数の画像からユーザが画像を選択して，ユーザによって選択された画像を用いてアルバムを作成することが実現されている。多数の画像の中から所望の画像をユーザが選択するのは面倒であるため，画像抽出アルゴリズムにしたがってコンピュータが画像を抽出し，抽出された画像を用いてアルバムを作成することが行われている。アルバムを作成する場合に，アルバムに貼付される画像の内容とアルバムのテンプレートとが無関係であると，作成するアルバムに一貫性が無くなるので，アルバムに貼付される画像を解析し，解析された画像のテーマからテンプレートを選択するものがある(特許文献１)。また，アルバムに含める画像群のタイトルを決定するもの(特許文献２)，デザインテーマが選択され，選択されたデザインテーマに関連付けられたテンプレートにしたがって印刷コンテンツのレイアウトを行うものもある(特許文献３)。
【先行技術文献】
【特許文献】
【０００３】
【特許文献１】特開2015-89112号公報
【特許文献２】特開2007-199924号公報
【特許文献３】特許第5676996号
【発明の概要】
【発明が解決しようとする課題】
【０００４】
複数の画像によって表されるテーマを決定し，その決定したテーマに沿った画像を，複数の画像の中から抽出しようとする場合，決定したテーマが適切でなければ，ユーザが意図したものと異なる画像が抽出されてしまう。特許文献１に記載のものは，解析された画像のテーマからテンプレートを選択するものであり，特許文献２に記載のものは，画像群のタイトルを決定するものであり，特許文献３に記載のものは，デザインテーマに関連付けられたテンプレートにたがってレイアウトを行うものであるから，いずれにおいてもできるだけテーマに沿った画像を抽出することは考えられていない。
【０００５】
この発明は，できるだけテーマに合った画像を抽出することを目的とする。
【課題を解決するための手段】
【０００６】
この発明による画像抽出システムは，複数の画像によって表される第1のテーマを，上記複数の画像から決定する第１のテーマ決定手段，複数の画像によって表される第２のテーマを，複数の画像から決定する，あるいは第２のテーマの入力を受け付けることにより第２のテーマを決定する第２のテーマ決定手段，ならびに第１のテーマ決定手段によって決定した第１のテーマに関連づけられる画像を複数の画像から抽出する第１の画像抽出処理および第２のテーマ決定手段によって決定した第２のテーマに関連づけられる画像を複数の画像から抽出する第２の画像抽出処理の少なくとも一方の画像抽出処理を行う画像抽出手段を備えていることを特徴とする。
【０００７】
この発明は，画像抽出システムに適した画像抽出方法も提供している。すなわち，この方法は，第１のテーマ決定手段が，複数の画像によって表される第１のテーマを，複数の画像から決定し，第２のテーマ決定手段が，複数の画像によって表される第２のテーマを，複数の画像から決定する，あるいは第２のテーマの入力を受け付けることにより第２のテーマを決定し，画像抽出手段が，第１のテーマ決定手段によって決定した第１のテーマに関連づけられる画像を複数の画像から抽出する第１の画像抽出処理および第２のテーマ決定手段によって決定した第２のテーマに関連づけられる画像を複数の画像から抽出する第２の画像抽出処理の少なくとも一方の画像抽出処理を行うものである。
【０００８】
第２のテーマ決定手段は，たとえば，複数の画像によって表される第２のテーマを，複数の画像から決定してもよい。この場合，第１のテーマ決定手段によって決定した第１のテーマまたは第２のテーマ決定手段によって決定した第２のテーマの指定を受け付けるテーマ受付手段をさらに備えることが好ましい。また，画像抽出手段は，たとえば，テーマ受付手段によって第１のテーマの指定を受け付けた場合には，第１のテーマに関連づけられる画像を複数の画像から抽出する第１の画像抽出処理を行い，テーマ受付手段によって第２のテーマの指定を受け付けた場合には，第２のテーマに関連づけられる画像を複数の画像から抽出する第２の画像抽出処理を行う。
【０００９】
画像抽出手段において第１の画像抽出処理が行われた場合には，第１のテーマに関連づけられる第１のテンプレートを決定し，かつ画像抽出手段において第２の画像抽出処理が行われた場合には，第２のテーマに関連づけられる第２のテンプレートを決定するテンプレート決定手段，およびテンプレート決定手段において第１のテンプレートが決定された場合には第１の画像抽出処理において抽出された画像を第１のテンプレートに貼り付け，かつテンプレート決定手段において第２のテンプレートが決定された場合には第２の画像抽出処理において抽出された画像を第２のテンプレートに貼り付け，第１のテンプレートと第２のテンプレートとを含むアルバムを生成するアルバム生成手段をさらに備えてもよい。
【００１０】
複数の画像について第１のテーマ決定手段によって決定した第１のテーマの合致の程度を表す第１のテーマ合致度を算出する第１のテーマ合致度算出手段，複数の画像について第２のテーマ決定手段によって決定した第２のテーマの合致の程度を表す第２のテーマ合致度を算出する第２のテーマ合致度算出手段，および第１のテーマ合致度算出手段によって算出された第１のテーマ合致度と第２のテーマ合致度算出手段によって算出された第２のテーマ合致度との比率に応じたテーマとなるアルバムを，画像抽出手段によって抽出された画像を用いて生成するアルバム生成手段をさらに備えてもよい。
【００１１】
画像抽出手段は，第１のテーマ合致度算出手段によって算出された第１のテーマ合致度と第２のテーマ合致度算出手段によって算出された第２のテーマ合致度との比率と，第１の画像抽出処理により抽出される画像の数と第２の画像抽出処理により抽出される画像の数との比率と，が一致するように第１の画像抽出処理および第２の画像抽出処理を行なってもよい。
【００１２】
第１のテーマ決定手段によって決定した第１のテーマおよび第２のテーマ決定手段によって決定した第２のテーマにおいて共通に使用されるテンプレートに，画像抽出手段によって抽出した画像を貼り付けてアルバムを生成するアルバム生成手段をさらに備えてもよい。
【００１３】
第１のテーマ決定手段によって決定した第１のテーマと第２のテーマ決定手段によって決定した第２のテーマとの比率に応じたテーマをもつテンプレートに，画像抽出手段によって抽出した画像を貼り付けてアルバムを生成するアルバム生成手段をさらに備えてもよい。
【００１４】
第１のテーマ決定手段によって決定した第１のテーマと第２のテーマ決定手段によって決定した第２のテーマとの比率に応じたテーマをもつテンプレートを生成するテンプレート生成手段をさらに備えてもよい。
【００１５】
画像抽出手段は，たとえば，第１のテーマ決定手段によって決定した第１のテーマと第２のテーマ決定手段によって決定した第２のテーマとの比率に応じたテーマに合った画像を抽出させる第１の画像抽出処理および第２の画像抽出処理の少なくとも一方を行うものでもよい。
【００１６】
第２のテーマ決定手段は，第２のテーマの入力を受け付けることにより上記第２のテーマを決定し，複数の画像について上記第１のテーマ決定手段によって決定した第１のテーマの合致の程度を表す第１のテーマ合致度を算出する第１のテーマ合致度算出手段，および複数の画像について第２のテーマ決定手段によって決定した第２のテーマの合致の程度を表す第２のテーマ合致度を算出する第２のテーマ合致度算出手段をさらに備えてもよい。この場合，画像抽出手段は，たとえば，第１のテーマ合致度算出手段によって算出された第１のテーマ合致度が第２のテーマ合致度算出手段によって算出された第２のテーマ合致度よりも高い場合には，第１の画像抽出処理を行い，第２のテーマ合致度算出手段によって算出された第２のテーマ合致度が第１のテーマ合致度算出手段によって算出された第１のテーマ合致度よりも高い場合には，第２の画像抽出処理を行う。
【発明の効果】
【００１７】
この発明によると，複数の画像によって表される第１のテーマが複数の画像から決定される。また，複数の画像によって表される第２のテーマが複数の画像から決定される，あるいは第２のテーマの入力を受け付けることにより第２のテーマが決定される。第１のテーマに関連づけられる画像を複数の画像から抽出する第１の画像抽出処理および第２のテーマに関連づけられる画像を複数の画像から抽出する第２の画像抽出処理の少なくとも一方の画像抽出処理が行われる。第１の画像抽出処理は，複数の画像から決定された第１のテーマにもとづいて行われるものであるから，第１のテーマの決定が適切でない場合には抽出される画像がユーザの意図に沿わないことがある。この発明によると，複数の画像によって表される第２のテーマが複数の画像から決定される，あるいは第２のテーマの入力を受け付けることにより第２のテーマが決定される。第１の画像抽出処理だけでなく，第２のテーマにもとづく第２の画像抽出処理が行われる余地があるから，第１の画像抽出処理では，適切に画像を抽出できない可能性がある場合には，第２の画像抽出処理を行うことができ，第２の画像抽出処理により比較的適切な画像抽出が行われることとなる。
【図面の簡単な説明】
【００１８】
【図１】画像抽出システムの電気的構成を示すブロック図である。
【図２】メモリ・カードに格納されている画像ファイルを示している。
【図３】画像の一例である。
【図４】画像の一例である。
【図５】画像の一例である。
【図６】画像の一例である。
【図７】画像抽出システムの処理手順を示すフローチャートである。
【図８】テーマ決定ウインドウの一例である。
【図９】被写体タグ・テーブルの一例である。
【図１０】第１のテーマ決定処理手順を示すフローチャートである。
【図１１】画像抽出システムの処理手順を示すフローチャートである。
【図１２】テーマ決定ウインドウの一例である。
【図１３】画像抽出システムの処理手順を示すフローチャートである。
【図１４】テンプレート・テーブルの一例である。
【図１５】画像抽出システムの処理手順を示すフローチャートである。
【図１６】画像抽出システムの処理手順を示すフローチャートである。
【図１７】画像抽出システムの処理手順を示すフローチャートである。
【図１８】画像抽出システムの処理手順を示すフローチャートである。
【図１９】テンプレートの一例である。
【図２０】画像抽出システムの処理手順を示すフローチャートである。
【図２１】画像抽出システムの処理手順を示すフローチャートである。
【発明を実施するための形態】
【００１９】
［実施例１］
図１は，実施例１を示すもので，画像抽出システム１の電気的構成を示すブロック図である。
【００２０】
画像抽出システム１の全体の動作は，ＣＰＵ(Central Processing Unit)２によって統括される。
【００２１】
画像抽出システム１には，画像抽出システム１にコマンド等を与えるための入力装置としてキーボード３およびマウス４が含まれている。これらのキーボード３およびマウス４からのコマンド等は，入力制御装置５を介してＣＰＵ２に与えられる。また，画像抽出システム１には，データ等を一時的に記憶するメモリ８，ハードディスク７およびハードディスク７にアクセスするためのハードディスク・ドライブ６ならびに表示装置10および表示装置10を制御するための表示制御装置９が含まれている。
【００２２】
画像抽出システム１には，さらに，メモリ・カード12にアクセスするためのメモリ・カード・リーダ・ライタ11，CD-ROM(Compact Disc Read Only Memory)14にアクセスするためのCD-ROMドライブ13およびインターネットなどのネットワークと接続するための通信装置15が含まれている。
【００２３】
後述する動作を制御する，コンピュータが読み取り可能なプログラムが格納されているCD-ROM14(記録媒体)がCD-ROMドライブ13によって読み取られ，その読み取られたプログラムが画像抽出システム１にインストールされる。そのようなプログラムは，CD-ROM14以外のメモリ・カード12のような可搬型記録媒体に格納されていてもよいし，画像抽出システム１にあらかじめインストールされていてもよい。また，インターネットなどのネットワークを介して通信装置15によってプログラムが受信され，受信されたプログラムが画像抽出システム１にインストールされるようにしてもよい。
【００２４】
図２は，メモリ・カード12に保存されている画像ファイルを表している。
【００２５】
メモリ・カード12には，IMG001からIMG500までの画像ファイル名によって表される500個の画像ファイルが保存されているものとする。もっとも，画像ファイル名は連続している必要は無い。たとえば，ユーザは，メモリ・カード12を持参して旅行などに行き，旅行先などにおいて撮影することにより500個の画像ファイルがメモリ・カード12に格納される。また，旅行などの単独のイベントだけでなく，結婚式における撮影により得られた画像ファイルと結婚式後の旅行（たとえば，新婚旅行）における撮影により得られた画像ファイルとがメモリ・カード12に格納されていてもよい。このように複数のイベントにおける撮影により得られた画像ファイルがメモリ・カード12（メモリ・カード12に限られない。）に格納されていてもよい。
【００２６】
図３から図６は，メモリ・カード12に保存されている500個の画像ファイルのうち，一部の画像ファイルによって表される画像31から34を示している。
【００２７】
図３は，画像ファイル名IMG001によって表される画像31の一例である。画像31は，山と川と太陽とが含まれている画像の一例である。
【００２８】
図４は，画像ファイル名IMG002によって表される画像32の一例である。画像32は，花と雲とが含まれている画像の一例である。
【００２９】
図５は，画像ファイル名IMG003によって表される画像33の一例である。画像33は，人物と山と雲と花とが含まれている画像の一例である。
【００３０】
図６は，画像ファイル名IMG004によって表される画像34の一例である。画像34は，料理と花とが含まれている画像の一例である。
【００３１】
図７は，画像抽出システム１の処理手順を示すフローチャートである。
【００３２】
表示装置10の表示画面には，複数の画像が保存されている保存場所を指定するための保存場所指定画像が表示される。保存場所指定画像を用いて，ハードディスク７，CD-ROM14，メモリ・カード12，ネットワーク上の保存領域などの保存場所をユーザは指定することができる。画像抽出システム１にUSB(Universal Serial Bus)メモリ(図示略)を接続できる場合には，保存場所としてUSBメモリの指定もできる。ユーザは，キーボード３またはマウス４を用いて，アルバムの生成に用いる画像の保存場所を指定する(ステップ41)。この実施例では，画像の保存場所としてメモリ・カード12がユーザによって指定されたものとする。画像の保存場所を指定する前または画像の保存場所を指定した後に，次に述べる第１のテーマおよび第２のテーマを決定する複数の画像の範囲を特定してもよい。たとえば，撮影期間が指定され，その指定された撮影期間内に撮影された複数の画像から第１のテーマおよび第２のテーマを決定するようにしてもよい。
【００３３】
メモリ・カード12に格納されている複数の画像ファイルがＣＰＵ２によって読み取られる。第１のテーマ決定アルゴリズムにもとづいて，読み取られた複数の画像ファイルによって表される複数の画像の第１のテーマが，ＣＰＵ２（第１のテーマ決定手段）によって決定される（ステップ42）。第１のテーマの決定方法について詳しくは後述する（図９参照）。第１のテーマが決定されると，第２のテーマ決定アルゴリズム（第１のテーマ決定アルゴリズムと同じでもよい）にもとづいて，メモリ・カード12から読み取られた複数の画像ファイルによって表される複数の画像の第２のテーマが，ＣＰＵ２（第２のテーマ決定手段）によって決定される（ステップ43）。第２のテーマの決定方法についても詳しくは後述する。
【００３４】
図８は，表示装置10の表示画面に表示されるテーマ決定ウインドウ50の一例である。
【００３５】
テーマ決定ウインドウ50には，画像表示領域51とテーマ表示領域52とが含まれている。
【００３６】
画像表示領域51には，ユーザによって指定された保存場所に保存されている画像（サムネイル画像）が一覧で表示されている。この実施例では，保存場所としてメモリ・カード12が指定されたから，メモリ・カード12に格納されている画像ファイルによって表される画像31-34などが画像表示領域51に表示されている。
【００３７】
テーマ表示領域52には，「第１のテーマ」という文字列の横に第１のテーマ表示ボックス53が形成されており，「第２のテーマ」という文字列の横の第２のテーマ表示ボックス54が形成されている。第１のテーマ表示ボックス53には，図７ステップ42において決定した第１のテーマが表示される。第２のテーマ表示ボックス54には，図７ステップ43において決定した第２のテーマが表示される。この実施例では，メモリ・カード12には，結婚式というイベントにおける撮影により得られた画像ファイルと旅行というイベントにおける撮影により得られた画像ファイルとが格納されている。メモリ・カード12に格納されている複数の画像ファイルから，第１のテーマとして「旅行」が決定され，第２のテーマとして「結婚」が決定されたものとする。このため，第１のテーマ表示ボックス53には，「旅行」が表示され，第２のテーマ表示ボックス54には，「結婚」が表示されている。
【００３８】
また，テーマ表示領域52には，「画像抽出」の文字が表示されている画像抽出ボタン55も形成されている。画像抽出ボタン55は，指定された保存場所に保存されている複数の画像から，第１のテーマ，第２のテーマなどに関連付けられる画像を抽出する場合に，ユーザによってマウス４などによりクリックされる。
【００３９】
図７に戻って，ユーザは，第２のテーマ表示ボックス54に表示されている第２のテーマを確認して，その第２のテーマが適切かどうかを判断する。適切でないと考える場合には，第２のテーマを変更するために（ステップ44でＹＥＳ），第２のテーマ表示ボックス54に表示されている第２のテーマを，キーボード３を用いて消去して，ユーザはキーボード３を用いて第２のテーマを新たに入力する（ステップ45）。第２のテーマを変更する必要が無ければ（ステップ44でＮＯ），ステップ45の処理はスキップされる。このように第２のテーマは，ＣＰＵ２（第２のテーマ決定手段）によって決定されてもよいし，キーボード３（第２のテーマ決定手段）により入力されたテーマをＣＰＵ２が受け付けることにより，第２のテーマが決定されてもよい。
【００４０】
第２のテーマではなく，第１のテーマを変更できるようにしてもよいし，第１のテーマと第２のテーマとの両方のテーマを変更できるようにしてもよい。分かりやすくするために，第１のテーマと第２のテーマとを区別しているが，２つのテーマが決定されればよく，２つのテーマのうち，少なくとも一方のテーマを変更できればよい。２つのテーマのうち，いずれか一方のテーマが第１のテーマであり，他方のテーマが第２のテーマである。
【００４１】
つづいて，決定された第１のテーマに関連づけられる画像が，指定された保存場所に保存されている複数の画像（または指定された保存場所に保存されている複数の画像のうち，指定された撮影期間に撮影された画像）から抽出される第１の画像抽出処理がＣＰＵ２（画像抽出手段）によって行われる（ステップ46）。例えば，第１のテーマとの合致度が高い（しきい値以上の）画像であり，画像としての評価が高い画像（適正な明るさをもつ画像，合焦している画像，被写体が見切れていない画像など）が複数の画像から抽出される。第１のテーマとの合致度が高い画像とは，第１のテーマに合った被写体（たとえば，あらかじめ定められている）が含まれており，かつ評価の高い（しきい値以上の）被写体（被写体の位置が中央に近いほど評価が高い，被写体が合焦しているほど評価が高い）が含まれている画像である。同様に，決定された第２のテーマに関連づけられる画像が，指定された保存場所に保存されている複数の画像から抽出される第２の画像抽出処理がＣＰＵ２によって行われる（ステップ47）。
【００４２】
第１の画像抽出処理により抽出された画像および第２の画像抽出処理により抽出された画像が表示装置10の表示画面に表示される（ステップ48）。このようにして抽出された画像は第１のテーマまたは第２のテーマに沿ったものとなる。多数の画像の中から第１のテーマおよび第２のテーマに沿った画像が抽出されるようになる。
【００４３】
抽出された画像を用いて，アルバムを生成することにより，生成されたアルバムには，第１のテーマおよび第２のテーマの少なくとも一方のテーマに沿った画像が貼り付けられることとなり，第１のテーマおよび第２のテーマの少なくとも一方のテーマに沿ったアルバムが生成されるようになる。
【００４４】
上述の実施例においては，第１の画像抽出処理および第２の画像抽出処理との両方の画像抽出処理が行われているが，第１の画像抽出処理および第２の画像抽出処理の少なくとも一方の画像抽出処理が行われてもよい。少なくとも一方の画像抽出処理が行われ，抽出された画像を用いてアルバムが生成されることにより，第１のテーマおよび第２のテーマの少なくとも一方のテーマに沿ったアルバムが生成されることとなる。
【００４５】
図９は，被写体タグ・テーブルの一例である。
【００４６】
被写体タグ・テーブルには，テーマに対応して被写体タグが記憶されている。被写体タグ・テーブルは，メモリ８に格納されている。被写体タグは，テーマに沿った画像の状況，テーマに沿った被写体などを示している。たとえば，「子ども」のテーマに対応した被写体タグとして，「誕生日」，「入学式」などが格納されており，「旅行」のテーマに対応した被写体タグとして，「乗り物（飛行機，電車，自動車）」，「観光地」などが格納されている。被写体タグ・テーブルには，第１のテーマ，第２のテーマを決定するのに用いられる。
【００４７】
図10は，第１のテーマ決定処理手順（図７ステップ42の処理手順）（第１のテーマ決定アルゴリズム）を示すフローチャートである。
【００４８】
指定された保存場所（メモリ・カード12）に保存されている複数の画像のそれぞれのヘッダには，被写体タグが格納されている。複数の画像のそれぞれに付与されている被写体タグがＣＰＵ２によって読み取られる（ステップ61）。画像に被写体タグが付与されていない場合には，ＣＰＵ２によって画像解析が行われ，画像に含まれている被写体が検出されることにより被写体タグが得られる。
【００４９】
また，複数の画像の撮影期間がＣＰＵ２によって算出される（ステップ62）。複数の画像の撮影間隔に比べて画像の撮影期間が長い場合には，複数の画像が複数のグループに分けられ，それぞれのグループにおける撮影期間が算出される。たとえば，メモリ・カード12に保存されている画像が，結婚式における撮影により得られた画像と，結婚式とは別の日の旅行における撮影により得られた画像とが含まれている場合，たとえば，結婚式の画像は，数時間の間に多数の撮影が行われることにより，結婚式の画像が多数得られ，結婚式の日とは別の日の旅行中に多数の撮影が行われることにより，旅行の画像が多数得られる。画像の撮影期間に偏りがあるので，結婚式の画像のグループと旅行の画像のグループとに分けることができる。結婚式の画像の撮影期間は，たとえば，１日であり，旅行の画像の撮影期間は，たとえば，１週間と算出される。画像ファイルのヘッダには，撮影日時を示すデータが格納されているので，その撮影日時を示すデータを用いて撮影期間を算出できる。
【００５０】
つづいて，保存場所に保存されている複数の画像のそれぞれに含まれている人物がＣＰＵ２によって検出され，検出された人数の数がＣＰＵ２によって算出される（ステップ63）。
【００５１】
さらに，保存場所に保存されている複数の画像のそれぞれの撮影場所がＣＰＵ２によって検出される（ステップ64）。画像ファイルのヘッダには，撮影場所を示すデータが格納されているので，その撮影場所を示すデータを読み取ることにより，画像の撮影場所が分かる。
【００５２】
画像に付与されている被写体タグが読み取られ（ステップ61），撮影期間が算出され（ステップ62），人物の数が算出され（ステップ63），撮影場所が検出されると（ステップ64），読み取られた被写体タグ，算出された撮影期間，算出された人物の数および検出された撮影場所のそれぞれから，複数のテーマ候補がＣＰＵ２によって決定される（ステップ65）。たとえば，読み取られた被写体タグが，「旅行」や「結婚」についてのものが多い場合には，「旅行」，「結婚」がテーマ候補となる。また，撮影期間が１日の場合には，「子ども」，「結婚」など，１日で撮影が終了するようなテーマがテーマ候補となる。さらに，算出された人数が２人であれば，その人物は，夫婦である可能性が高く，算出された人数が３人から５人であれば，その人物は家族である可能性が高い。さらに，撮影場所が学校であれば「子供」がテーマ候補となり，撮影場所が観光地であれば「旅行」がテーマ候補となり，撮影場所が結婚式場であれば「結婚」がテーマ候補となる。
【００５３】
被写体タグにもとづいてテーマ候補が決定され，かつテーマ候補評価値が算出される。たとえば，複数の画像の中に乗り物や観光地の画像が多い場合には，テーマ候補として「旅行」が決定され，決定されたテーマ候補に対応する被写体タグの多さに応じたテーマ候補評価値が算出される。算出されたテーマ候補が，算出された撮影期間，人物の数，および撮影場所によって補正される。例えば，「旅行」の場合は，数日間にわたった撮影されることが多いから，撮影期間が数日間の場合には，「旅行」のテーマ候補評価値は高くなる。また，「旅行」の場合は，夫婦，家族での旅行などが考えられ，かつ風景の画像も多いと考えられるので，人物の数が２人から５人または人物が０人の画像が多い場合には，「旅行」のテーマ候補評価値が高くなる。さらに，撮影場所が観光地などの場合にも，「旅行」のテーマ候補評価値が高くなる。このように，決定されたテーマ候補についてのテーマ候補評価値が高く（または低く）なるように補正され，補正されたテーマ候補評価値がもっとも高いテーマ候補がＣＰＵ２によって第１のテーマと決定される（ステップ66）。また，補正されたテーマ候補評価値が第１のテーマの次に高いテーマ候補がＣＰＵ２によって第２のテーマと決定される。もちろん，他の方法により第１のテーマおよび第２のテーマが決定されてもよい。
【００５４】
実施例１によると，第１の画像抽出処理だけでなく，第２のテーマにもとづく第２の画像抽出処理が行われる余地があるから，第１の画像抽出処理では，適切に画像を抽出できない可能性がある場合には，第２の画像抽出処理を行うことができ，第２の画像抽出処理により比較的適切な画像抽出が行われることとなる。
【００５５】
［実施例２］
図11および図12は，実施例２を示すものである。
【００５６】
図11は，画像抽出システム１の処理手順を示すフローチャートである。図11は，実施例１の図７に対応する。図12は，テーマ決定ウインドウ50Ａの一例である。図12は，実施例１の図８に対応する。
【００５７】
図７ステップ41から43と同様に，複数の画像の保存場所が指定され（ステップ71），複数の画像から第１のテーマが決定され（ステップ72），複数の画像から第２のテーマが決定される（ステップ73）。
【００５８】
この実施例においては，決定された第１のテーマおよび第２のテーマのうち，いずれかのテーマがユーザによって指定される（ステップ74）。
【００５９】
図12を参照して，テーマ決定ウインドウ50Ａには，画像表示領域51とテーマ表示領域52Ａとが含まれている。
【００６０】
テーマ表示領域52Ａには，第１のテーマ表示ボックス53の横に，「指定」の文字が付与されている第１の指定ボタン56が形成され，第２のテーマ表示ボックス54の横に，「指定」の文字が付与されている第２の指定ボタン57が形成されている。
【００６１】
第１の指定ボタン56がユーザによってマウス４を用いてクリックされることにより，第１のテーマ表示ボックス53に表示されているテーマが指定される。第２の指定ボタン57がユーザによってマウス４を用いてクリックされることにより，第２のテーマ表示ボックス54に表示されているテーマが指定される。第１のテーマ表示ボックス53に表示されるテーマおよび第２のテーマ表示ボックス54に表示されるテーマの少なくとも一方を消去し，ユーザによって新たに入力されたテーマが指定されてもよい。
【００６２】
ユーザによって第１のテーマが指定されると（ステップ75でＹＥＳ），指定された第１のテーマはＣＰＵ２（テーマ受付手段）によって受け付けられ，図７のステップ46のように，第１のテーマに関連づけられる画像が複数の画像から抽出される第１の画像抽出処理が行われる（ステップ76）。
【００６３】
ユーザによって第２のテーマが指定されると（ステップ75でＮＯ），指定された第２のテーマもＣＰＵ２（テーマ受付手段）によって受け付けられ，図７のステップ47のように，第２のテーマに関連づけられる画像が複数の画像から抽出される第２の画像抽出処理が行われる（ステップ78）。
【００６４】
このようにして抽出された画像が，表示装置10の表示画面に表示される（ステップ79）。
【００６５】
実施例２によると，ユーザによって指定されたテーマにもとづく画像抽出処理が行われるようになる。
【００６６】
［実施例３］
図13は，実施例３を示すもので，画像抽出システム１の処理手順を示すフローチャートである。
【００６７】
図13に示す処理は，実施例１の図７または実施例２の図11に示す処理の後に行われる。
【００６８】
被写体タグ・テーブルと同様に，テンプレートがテーマに関連づけられてメモリ８に記憶されている。テンプレートは，複数ページから構成され，各ページに画像貼付領域が規定されている。テンプレートに規定されている画像貼付領域に，上述のようにして抽出された画像が貼り付けられることにより，アルバム（電子アルバム）が生成される。紙に印刷されることにより，紙のアルバムが生成される。
【００６９】
第１の画像抽出処理が行われた場合には（ステップ81でＹＥＳ），第１のテーマに合致した画像が抽出されたということであるから，第１のテーマに関連付けられているテンプレートがＣＰＵ２（テンプレート決定手段）によって決定される（ステップ82）。
【００７０】
図14は，テンプレート・テーブルの一例である。
【００７１】
テンプレート・テーブルは，メモリ８に格納されている。
【００７２】
テーマに対応して，複数のテンプレート（テンプレートを特定するデータ）およびテンプレート評価値が格納されている。たとえば，「子供」のテーマには，テンプレートＴ１，テンプレートＴ２などが格納されており，「旅行」のテーマには，テンプレートＴ11，テンプレートＴ12などが格納されており，「結婚」のテーマには，テンプレートＴ21，テンプレートＴ22などが格納されている。それぞれのテンプレートには，テーマとの合致度を表すテンプレート評価値Ｌ１，Ｌ２なども算出されている。同じテーマのテンプレートであっても，テンプレート評価値が異なり，テンプレート評価値が高いほど，そのテーマに適したテンプレートとなる。
【００７３】
図13に戻って，第１の画像抽出処理が行われた場合（ステップ81でＹＥＳ），第１のテーマに関連付けられているテンプレートを決定するために，決定した第１のテーマに対応して格納されているテンプレートがテンプレート・テーブルの中から見つけられる。たとえば，第１のテーマが「旅行」であるとすると，「旅行」のテーマに関連付けられているテンプレートＴ11，テンプレートＴ12などがＣＰＵ２によって見つけられる。つづいて，第１のテーマを決定する際に算出されたテーマ候補評価値に近いテンプレート評価値をもつテンプレートが第１のテンプレートとしてＣＰＵ２によって決定される。テンプレート評価値とテーマ候補評価値とは，いずれもＣＰＵ２によってたとえば，０から100までの範囲となるように規格化されたうえで，近いかどうか（テンプレート評価値とテーマ候補評価値との差分差が一定値以内にあるかどうか）が，ＣＰＵ２によって判断される。
【００７４】
第１のテンプレートが決定すると，第１の画像抽出処理において抽出された画像が第１のテンプレートに貼り付けられる（ステップ83）。
【００７５】
第１の画像抽出処理が行われない場合には（ステップ81でＮＯ），ステップ82および83はスキップされる。第２の画像抽出処理が行われると（ステップ84でＹＥＳ），第１のテンプレートの決定と同様にして第２のテーマにもとづいて第２のテンプレートがＣＰＵ２（テンプレート決定手段）によって決定される（ステップ85）。
【００７６】
第２のテンプレートが決定すると，第２の画像抽出処理において抽出された画像が第２のテンプレートに貼り付けられる（ステップ86）。
【００７７】
第１の画像抽出処理と第２の画像抽出処理との両方が行われた場合には，画像が貼り付けられた第１のテンプレートと，画像が貼り付けられた第２のテンプレートとから，ＣＰＵ２によってアルバム（電子アルバム）が生成される（ステップ87）。画像が貼り付けられた第１のテンプレートのみから構成されるアルバムと，画像が貼り付けられた第２のテンプレートのみから構成されるアルバムとの２つのアルバムが生成されてもよいし，画像が貼り付けられた第１のテンプレートと，画像が貼り付けられた第２のテンプレートとを含む１つのアルバムが生成されてもよい。
【００７８】
実施例３によると，テーマに関連付けられたテンプレートを決定できるようになる。
【００７９】
［実施例４］
図15は，実施例４を示すもので，画像抽出システム１の処理手順を示すフローチャートの一例である。
【００８０】
図15に示す処理も，実施例１の図７または実施例２の図11に示す処理の後に行われる。
【００８１】
決定した第１のテーマの合致の程度を表す第１のテーマ合致度がＣＰＵ２（第１のテーマ合致度算出手段）によって算出される（ステップ91）。第１のテーマを決定するときに算出された第１のテーマ候補評価値を，第１のテーマ合致度とすることができる。また，複数の画像をテーマごとに分類し，第１のテーマに含まれる画像の数を，複数の画像の総数で除した値を第１のテーマ合致度としてもよい。いずれにしても，第１のテーマ合致度として，第１のテーマの合致の程度を表すものであればよい。
【００８２】
同様に，第２のテーマの合致の程度を表す第２のテーマ合致度がＣＰＵ２（第２のテーマ合致度算出手段）によって算出される（ステップ92）。第２のテーマを決定するときに算出された第２のテーマ候補評価値を，第２のテーマ合致度とすることができる。また，複数の画像をテーマごとに分類し，第２のテーマに含まれる画像の数を，複数の画像の総数で除した値を第２のテーマ合致度としてもよい。いずれにしても，第２のテーマ合致度として，第２のテーマの合致の程度を表すものであればよい。
【００８３】
つづいて，算出された第１のテーマ合致度と第２のテーマ合致度との比率に応じたテーマとなるアルバムが，抽出された画像を用いてＣＰＵ２（アルバム生成手段）によって生成される（ステップ93）。算出された第１のテーマ合致度と第２のテーマ合致度との比率に応じたテーマとなるアルバムとは，生成されるアルバムについてテーマ合致度が算出された場合に第１のテーマ合致度と算出される割合と第２のテーマ合致度と算出される割合とが，その比率となるようにアルバムをいう。たとえば，第１のテーマが「旅行」であり，第１のテーマ合致度が60（テーマ合致度は０から100までとする）であり，第２のテーマが「結婚」であり，第２のテーマ合致度が40であったとする。このような場合には，第１のテーマである「旅行」のテンプレート評価値が60，第２のテーマである「結婚」のテンプレート評価値が40となるようなテンプレートを用いてアルバムを生成してもよいし，第１のテーマにしたがって抽出される画像の数と第２のテーマにしたがって抽出される画像の数とが，60：40となるようにしてアルバムを生成してもよいし，画像からテーマを決定する場合に，第１のテーマと決定される割合が60，第２のテーマと決定される割合が40となるような画像を抽出したアルバムを生成してもよい。
【００８４】
実施例４によると，第１のテーマ合致度と第２のテーマ合致度との比率に応じてアルバムを生成できる。
【００８５】
［実施例５］
図16は，実施例５を示すもので，画像抽出システム１の処理手順を示すフローチャートである。図16は，実施例１の図７および実施例２の図11に対応する。
【００８６】
図７のステップ41から43と同様に，複数の画像の保存場所がユーザによって指定され（ステップ101），複数の画像から第１のテーマが決定され（ステップ102），複数の画像から第２のテーマが決定される（ステップ103）。さらに，第１のテーマ合致度が算出され（ステップ104），第２のテーマ合致度が算出される（ステップ105）。
【００８７】
算出された第１のテーマ合致度と第２のテーマ合致度との比率と，第１の画像抽出処理により抽出される画像の数と第２の画像抽出処理により抽出される画像の数との比率と，が一致するように第１の画像抽出処理および第２の画像抽出処理がＣＰＵ２によって行われる（ステップ106）。このようにして抽出された画像が表示装置10の表示画面に表示される。
【００８８】
抽出された画像をテンプレートに貼り付けてＣＰＵ２によってアルバムが生成されてもよいのはいうまでもない。
【００８９】
実施例５によると，第１のテーマに応じた画像と第２のテーマに応じた画像とを第１のテーマ合致度と第２のテーマ合致度との比率に応じて抽出できる。
【００９０】
［実施例６］
図17は，実施例６を示すもので，画像抽出システム１の処理手順を示すフローチャートである。
【００９１】
図17に示す処理は，実施例１の図７，実施例２の図11または実施例５の図16に示す処理の後に行われる。
【００９２】
複数の画像から画像が抽出されると，抽出された画像を貼り付けてアルバムを生成するためのテンプレートがＣＰＵ２によって見つけられる。テンプレートは決定された第１のテーマおよび第２のテーマにおいて共通に使用されるものがＣＰＵ２によって見つけられる。たとえば，第１のテーマとして「旅行」が決定され，第２のテーマとして「結婚」が決定されたとすると，図14に示すテンプレート・テーブルを参照して，「旅行」のテーマと「結婚」のテーマとの両方に対応して格納されているテンプレートが，ＣＰＵ２によって見つけられる。決定された第１のテーマおよび第２のテーマにおいて共通に使用されるテンプレートが見つけられなかった場合には，決定された第１のテーマおよび第２のテーマにおいて共通に使用されるテンプレートがＣＰＵ２によって生成される。
【００９３】
見つけられたテンプレート（または生成されたテンプレート）に，抽出された画像がＣＰＵ２（アルバム生成手段）によって貼り付けられることによりアルバム（電子アルバム）が生成される（ステップ112）。
【００９４】
実施例６によると，第１のテーマと第２のテーマとの両方のテーマに合致したテンプレートを用いてアルバムを生成できる。
【００９５】
［実施例７］
図18は，実施例７を示すもので，画像抽出システム１の処理手順を示すフローチャートである。
【００９６】
図18に示す処理も，実施例６の図17に示す処理と同様に，実施例１の図７，実施例２の図11または実施例５の図16に示す処理の後に行われる。
【００９７】
複数の画像から画像が抽出されると，抽出された画像を貼り付けてアルバムを生成するためのテンプレートがＣＰＵ２によって見つけられる。図18に示す実施例においては，決定された第１のテーマと第２のテーマとの比率に応じたテーマをもつテンプレートがＣＰＵ２によって見つけられる。決定された第１のテーマと第２のテーマとの比率に応じたテーマをもつテンプレートとは，そのようなテンプレートについてテーマが決定される場合には，第１のテーマと第２のテーマとが，その比率で決定されるものをいう。たとえば，第１のテーマが「旅行」であり，第２のテーマが「結婚」であったとした場合において，複数の画像における第１のテーマのテーマらしさ（上述したようにテーマ候補評価値に対応する）が６割，複数の画像における第１のテーマのテーマらしさが４割であったとすると，第１のテーマと判断される割合が６割，第２のテーマと判断される割合が４割となるようなテンプレートがＣＰＵ２によって見つけられる（ステップ121）。そのようなテンプレートが無い場合には，ＣＰＵ２によって生成される。第１のテーマのテーマ候補評価値と第２のテーマのテーマ候補評価値との比率に応じたテンプレートをＣＰＵ２によって見つけたり，生成したりしても，決定された第１のテーマと第２のテーマとの比率に応じたテーマをもつテンプレートを見つけたり，生成したこととなる。
【００９８】
見つけられたテンプレート（または生成されたテンプレート）に，抽出された画像がＣＰＵ２（アルバム生成手段）によって貼り付けられることによりアルバム（電子アルバム）が生成される（ステップ122）。
【００９９】
図19は，第１のテーマと第２のテーマとの比率に応じたテーマをもつテンプレート130の一例である。
【０１００】
テンプレート130は，アルバムを構成する一部のページを表している。複数ページから構成されるアルバムでもよいし，１枚のみから構成されるテンプレート130でもよい。
【０１０１】
テンプレート130には，画像貼付領域131から138が形成されており，これらの画像貼付領域131から138に，抽出された画像がＣＰＵ２によって貼り付けられる。
【０１０２】
テンプレート130には，第１のテーマである「旅行」に対応するように，飛行機の飾り144が形成されており，第２のテーマである「結婚」に対応するように，ハートの飾り141および142が形成されている。また，クローバーの飾り143もテンプレート130に形成されている。さらに，テンプレート130自体も，第１のテーマである「旅行」と第２のテーマである「結婚」との比率に対応するような色彩とされている。たとえば，テンプレート130について第１のテーマのテーマらしさを算出すると６割となり，第２のテーマテーマらしさを算出すると４割となる。このようなテンプレート130が見つけられて（生成されて），抽出された画像が画像貼付領域131から138に貼り付けられる。
【０１０３】
複数ページから構成されるテンプレートの場合には，複数ページのうち第１のテーマと判断されるページと第２のテーマと判断されるページとの比率が，第１のテーマと第２のテーマとの比率に対応するようにしてもよい。たとえば，第１のテーマが「旅行」であり，その比率が６割，第２のテーマが「結婚」であり，その比率が４割であるとすると，複数ページのうち６割のページを第１のテーマである「旅行」とし，複数ページのうち４割を第２のテーマである「結婚」としてもよい。
【０１０４】
実施例７においても，第１のテーマと第２のテーマとの両方のテーマに合致したテンプレートを用いてアルバムを生成できる。
【０１０５】
［実施例８］
図20は，実施例８を示すもので，画像抽出システム１の処理手順を示すフローチャートである。図20は，実施例１の図７，実施例２の図11および実施例５の図16に対応する。図20において，図７の処理と同一の処理については同一符号を付して説明を省略する。
【０１０６】
第１のテーマと第２のテーマとが決定（入力）されると，決定した第１のテーマと第２のテーマとの比率に応じたテーマに合った画像が，ＣＰＵ２によって抽出される（ステップ46Ａ）。たとえば，複数の画像から抽出される画像のうち，第１のテーマに合った画像が６割抽出され，第２のテーマに合った画像が４割抽出される。このようにして抽出された画像がテンプレート130などに貼り付けられることにより，アルバムが生成されてもよい。生成されたアルバムは，第１のテーマと第２のテーマとの比率に応じたテーマをもつものとなる。
【０１０７】
実施例８によると，第１のテーマと第２のテーマとの比率に応じた画像が含まれるアルバムを生成できる。
【０１０８】
［実施例９］
図21は，実施例９を示すもので，画像抽出システム１の処理手順を示すフローチャートである。図20は，実施例１の図７，実施例２の図11，実施例５の図16および実施例８の図20に対応する。
【０１０９】
上述のように，複数の画像の保存場所がユーザによって指定され（ステップ151），指定された保存場所に保存されている複数の画像から第１のテーマが決定される（ステップ152）。つづいて，ユーザによってキーボード３を用いて第２のテーマが入力され（ステップ153），その入力がＣＰＵ２によって受け付けられることにより，第２のテーマが決定する。たとえば，図８に示すように，画像表示領域51に複数の画像（サムネイル画像）31などが表示され，その表示された画像を見ながら，ユーザによって第２のテーマが入力される。ＣＰＵ２によって決定された第１のテーマは，第１のテーマ表示ボックス53に表示され，ユーザによって入力された第２のテーマは，第２のテーマ表示ボックス54に表示される。
【０１１０】
第１のテーマ合致度がＣＰＵ２（第１のテーマ合致度算出手段）によって算出され（ステップ154），かつ第２のテーマ合致度もＣＰＵ２（第２のテーマ合致度算出手段）によって算出される（ステップ155）。
【０１１１】
ＣＰＵ２によって算出された第１のテーマ合致度が，ユーザから入力された第２のテーマ合致度よりも高いかどうかがＣＰＵ２によって判断される（ステップ156）。第１のテーマ合致度が第２のテーマ合致度よりも高い場合には（ステップ156でＹＥＳ），ユーザによって入力された第２のテーマよりも，ＣＰＵ２によって決定された第１のテーマの方が，複数の画像が表すテーマとして，より適切であると考えられる。このために，第１のテーマにもとづく第１の画像抽出処理がＣＰＵ２によって行われる（ステップ157）。
【０１１２】
第１のテーマ合致度が第２のテーマ合致度よりも高くない場合には（ステップ156でＮＯ），ユーザから入力された第２のテーマ合致度が，ＣＰＵ２によって算出された第１のテーマ合致度よりも高いかどうかがＣＰＵ２によって判断される（ステップ158）。第２のテーマ合致度が第１のテーマ合致度よりも高い場合には（ステップ158でＹＥＳ），ＣＰＵ２によって決定された第１のテーマよりも，ユーザによって入力された第２のテーマの方が，複数の画像が表すテーマとして，より適切であると考えられる。このために，第２のテーマにもとづく第２の画像抽出処理がＣＰＵ２によって行われる（ステップ159）。
【０１１３】
第１の画像抽出処理または第２の画像抽出処理により抽出された画像が表示装置10の表示画面に表示されるようになる（ステップ160）。また，抽出された画像をテンプレートに貼り付けることにより，アルバムを生成するようにしてもよい。
【０１１４】
実施例９によると，第１のテーマと第２のテーマとのうち，より適切なテーマに基づく画像抽出処理を行うことができる。
【０１１５】
上述した実施例によると，キーボード３やマウス４を備えた画像抽出システム１について説明したが，キーボード３やマウス４を備えていないスマートフォン，タブレット端末などのスマート・ディバイスにより実施してもよい。スマート・ディバイスにより上述した処理を実施する場合に，スマート・ディバイスに形成されているタッチ・パネルを利用してコマンド等の入力が行われることとなろう。
【符号の説明】
【０１１６】
１  画像抽出システム，２  ＣＰＵ，３  キーボード，４  マウス，５  入力制御装置，６  ハードディスク・ドライブ，７  ハードディスク，８  メモリ，９  表示制御装置，10  表示装置，11  メモリ・カード・リーダ・ライタ，12  メモリ・カード，13  CD-ROMドライブ，14  CD-ROM，15  通信装置，31  画像，32  画像，33  画像，34  画像，50  テーマ決定ウインドウ，50Ａ  テーマ決定ウインドウ，51  画像表示領域，52  テーマ表示領域，52Ａ  テーマ表示領域，53  第１のテーマ表示ボックス，54  第２のテーマ表示ボックス，55  画像抽出ボタン，56  第１の指定ボタン，57  第２の指定ボタン，130  テンプレート，131  画像貼付領域，IMG001  画像ファイル名，IMG002  画像ファイル名，IMG003  画像ファイル名，IMG004  画像ファイル名，Ｔ１  テンプレート，Ｔ２  テンプレート，Ｔ11  テンプレート，Ｔ12  テンプレート，Ｔ21  テンプレート，Ｔ22  テンプレート
【図１】
2018055534.tif 000003
【図２】
2018055534.tif 000004
【図３】
2018055534.tif 000005
【図４】
2018055534.tif 000006
【図５】
2018055534.tif 000007
【図６】
2018055534.tif 000008
【図７】
2018055534.tif 000009
【図８】
2018055534.tif 000010
【図９】
2018055534.tif 000011
【図１０】
2018055534.tif 000012
【図１１】
2018055534.tif 000013
【図１２】
2018055534.tif 000014
【図１３】
2018055534.tif 000015
【図１４】
2018055534.tif 000016
【図１５】
2018055534.tif 000017
【図１６】
2018055534.tif 000018
【図１７】
2018055534.tif 000019
【図１８】
2018055534.tif 000020
【図１９】
2018055534.tif 000021
【図２０】
2018055534.tif 000022
【図２１】
2018055534.tif 000023